(57)【要約】【課題】  これまでの銅合金及びそのスクラップには，鉛が含まれており，環境保護と循環型社会に対応するため鉛を除去した再利用法が求められている。錫を含んだ銅合金から鉛を除去する方法は確立されておらず，除去率も十分でなかった。【解決手段】  銅合金を溶解し，その溶湯中に錫ブロック剤を添加・混合させ銅合金中の錫と脱鉛剤との化合を阻止し，次に脱鉛剤を添加・混合させ銅合金中の鉛だけと化合させるとともに鉛化合物を浮上分離することを特徴とする銅合金中の鉛除去方法である。【選択図】図１
2006161136.tif 000002
【特許請求の範囲】
【請求項１】
銅合金の溶湯中に錫ブロック剤を添加・混合し、次に脱鉛剤を添加・混合して鉛化合物を生成させ、生成した鉛化合物を銅合金の溶湯から浮上分離させて排除することを特徴とする銅合金中の鉛除去方法。
【請求項２】
錫ブロック剤がフッ化ナトリウム、又はケイフッ化ナトリウムであることを特徴とする請求項１記載の銅合金中の鉛除去方法。
【請求項３】
脱鉛剤が、カルシウムシリコン又は金属カルシウムであることを特徴とする請求項1又は請求項２記載の銅合金中の鉛除去方法。
【請求項４】
銅合金の溶湯に対し錫ブロック剤を０．０１〜１５質量％添加・混合することを特徴とする請求項１〜請求項３のいずれか１項記載の銅合金中の鉛除去方法。
【請求項５】
銅合金の溶湯に対し脱鉛剤を０．０１〜１５質量％添加・混合することを特徴とする請求項１〜請求項４のいずれか１項記載の銅合金中の鉛除去方法。
【請求項６】
銅合金の溶湯に対し錫ブロック剤又は／及び脱鉛剤を１．０〜１０．０質量％添加・混合することを特徴とする請求項１〜請求項５のいずれか１項記載の銅合金中の鉛除去方法。
【請求項７】
銅合金の溶湯に錫ブロック剤又は脱鉛剤を添加するときの温度が銅合金の少なくとも凝固点を超え、１３００℃以下であることを特徴とする請求項１〜請求項６のいずれか１項記載の銅合金中の鉛除去方法。
【請求項８】
銅合金が錫を含むものであることを特徴とする請求項１〜請求項７のいずれか１項記載の銅合金中の鉛除去方法。
【発明の詳細な説明】
【技術分野】
【０００１】
本発明は、青銅や黄銅などの銅合金中に含まれる鉛の除去方法に関するものであり、特に錫を含む銅合金のスクラップから鉛を除去してリサイクルする場合に用いられる銅合金中の鉛の除去方法に関するものである。
【背景技術】
【０００２】
特開平１０−１４０２５４号公報（以下、特許文献１という）に、鉛を含む黄銅溶湯中に金属カルシウム及び／又は銅カルシウム合金を添加し、鉛をカルシウムとの化合物にして除去する方法が知られている。このとき得られる化合物の大きさが数ミクロン程度しかなく、黄銅溶湯をフィルター処理し、鉛化合物を分離除去している。
【０００３】
前に本発明者らは、鉛を含む銅合金から鉛を除去する際に、カルシウム添加によって生成されるＣａ−Ｐｂ系化合物の粒径を大きくし、かつそれを溶湯の上面に浮上分離させ鉛を分離・除去する方法を研究し、添加剤としてカルシウムシリコン（例えばＣａＳｉ２）を用いたが、鉛除去率は最高４３．７％であった。（非特許文献１）
【０００４】
【特許文献１】特開平１０−１４０２５４号公報
【非特許文献１】山田宏作、外４名、「黄銅スクラップの鉛除去」、ジャーナル  オブ  アドバンスト  サイエンス、第１３巻、第３号、２００１年、ｐ２７３〜２７６。
【発明の開示】
【発明が解決しようとする課題】
【０００５】
しかしながら、特許文献１には、鉛を除去するため黄銅溶湯にフィルター処理が必要であり、溶湯に高圧をかけ、かつ温度を長時間凝固点以上に保持するという問題があり、高価な付帯設備を必要とする。また、カルシウムシリコンを用いて鉛化合物を生成させ、これを単に浮上分離する方法では鉛の除去率は５０％以下であり、鉛除去率は満足できる値に達しなかった。
本出願人等が先に出願した特願２００３−１７６３４８号明細書に記載した発明においては、カルシウムシリコンらを脱鉛剤として先に添加し、次にフッ化ナトリウムらを添加しており、その逆順は記載されていない。また、この方法では錫を含んだ銅合金に脱鉛剤を添加すると鉛よりも錫と反応して錫化合物を生成し、次にフッ化ナトリウムらを添加しても鉛化合物は浮上分離せずに鉛除去率は６５％以下にとどまっている。しかも合金成分である錫を除去してしまうおそれがあった。
そこで本発明は、高価で特殊な設備を必要とせず、しかも錫を含んだ銅合金でも合金成分はそのままに鉛除去を達成できる方法を提供しようとするものである。
【課題を解決するための手段】
【０００６】
上記目的を達成するため、本発明は、銅合金の溶湯中に先に錫ブロック剤を添加・混合して錫ブロック剤と銅合金中の錫とを化合させる手段で、次に添加する脱鉛剤と錫が化合することを阻止し、脱鉛剤が銅合金中の鉛と選択的に化合し鉛化合物を生成させ、銅合金成分である錫成分を失わせることなく鉛化合物を浮上分離させて排除することを特徴とする。
【０００７】
ここで銅合金とは、銅を主成分とする合金をいい、黄銅又は青銅を主な対象とするが、特にこれらに限定するものではない。
【０００８】
錫ブロック剤とは、フッ化ナトリウム、又はケイフッ化ナトリウムである。このような錫ブロック剤を用いることで、銅合金中の錫が脱鉛剤と化合することを阻止することができる特徴がある。例えば錫ブロック剤としてフッ化ナトリウムを用いた場合、Sn−F−Na系化合物を先に生成させることで、次に脱鉛剤を添加したとき脱鉛剤と錫とが化合物にならないようにし、脱鉛剤が鉛と選択的に化合することを特徴とする。
また、鉛と脱鉛剤とで生成された鉛化合物は、錫ブロック剤に結合する傾向がみられるため、必要に応じて脱鉛剤の添加後に追加で錫ブロック剤を凝集剤として添加し、鉛化合物の粒子を凝集し浮上分離を促進させることができる。このとき、黒曜石，シラス等を含むアルミノケイ酸塩ガラスも凝集剤として効果がある。
【０００９】
脱鉛剤とは、カルシウムシリコン又は金属カルシウムである。銅合金中に含まれる鉛と選択的に反応して化合物を生成し、その化合物の凝固点が銅合金より高く、かつ比重が軽いものが好ましい。このような脱鉛剤を用いることで、銅合金中に含まれる錫や亜鉛成分を失わせることなく、鉛のみを銅合金の溶湯中から分離・除去しようとするものである。
金属カルシウムが鉛と化合物を作りやすいことは知られているが、カルシウムシリコンも同様の効果を示すことがわかった。ここでカルシウムシリコンとは、カルシウムとケイ素の合金及びＣａＳｉ、Ｃａ２Ｓｉ、ＣａＳｉ２などの化合物とこれらの混合物が含まれる。カルシウムとケイ素の質量比は１：４〜４：１のものが好ましい。
【００１０】
錫ブロック剤は、銅合金の溶湯に対し、０．０１〜１５質量％添加・混合することを特徴とする。
【００１１】
錫ブロック剤の添加量が０．０１質量％未満では鉛の除去効果がみられず、１５質量％を越えて添加しても鉛除去率の向上はみられないからである。
【００１２】
脱鉛剤は、銅合金の溶湯に対し、０．０１〜１５質量％添加・混合することを特徴とする。
【００１３】
脱鉛剤の添加量が０．０１質量％未満では鉛の除去効果がみられず、また１５質量％を越えて添加しても鉛の除去率の向上はみられないからである。
また、銅合金の溶湯に対し、錫ブロック剤又は／及び脱鉛剤を１．０〜１０．０質量％添加・混合するとより好ましい結果が得られ、錫ブロック剤及び脱鉛剤も必要以上に使用することがない。
【００１４】
錫ブロック剤及び脱鉛剤を銅合金の溶湯に添加するときの温度について、銅合金の少なくとも凝固点を越え、かつ１３００℃以下であることを特徴とする。
銅合金の溶湯の温度が凝固点以下となると、溶湯の一部で凝固が始まるおそれが生じ、また１３００℃以上を越える温度では溶湯中の他の金属、例えば亜鉛が蒸発し、合金の組成が大きく変化することが懸念されているからである。
【発明の効果】
【００１５】
本発明によれば、鉛を含有する銅合金から容易に鉛を除去することができる。特に、銅合金に含まれる錫や亜鉛などの必要とされる合金成分を消耗するおそれもなく、鉛を除去した青銅や黄銅の銅合金を取得することができ、銅合金の再利用が可能となり、国際的な鉛の使用規制に対応することもできる。
【発明を実施するための最良の形態】
【００１６】
以下に本願発明を実施するための最良の形態について説明する。
図１は、本発明の実施の形態を示すフローチャートである。銅合金として、黄銅又は青銅を記載しているが特にこれに限定するものではない。
銅合金の溶湯に錫ブロック剤を添加・混合し、次に脱鉛剤を添加・混合して鉛化合物を生成し溶湯表面に浮上分離させ、さらに鉛化合物の浮上具合に応じて凝集剤を追加で添加・混合し、浮上してきた鉛化合物を除去することで鉛を除去した青銅や黄銅などの銅合金を得ることができる。
【００１７】
【表１】
2006161136.tif 000003
（脱鉛剤の添加量０．０１〜１５質量％を選択した根拠）
（銅合金＝黄銅：ＪＩＳ  ＣＡＣ２０３）
【００１８】
表１では、脱鉛剤及びフッ化ナトリウムの添加量と鉛除去率の関係について黄銅：ＪＩＳ  ＣＡＣ２０３についての実験結果を示す。
脱鉛剤・フッ化ナトリウムともに０．０１質量％未満の添加量では効果がほとんどなく、好ましくは０．５質量％以上、より好ましくは１質量％以上の添加量が望ましい。
脱鉛剤・フッ化ナトリウムの添加量は１５質量％以下としたが、必要以上に添加しても鉛除去率が向上しないため好ましくは１０質量％以下が望ましい。
【００１９】
【表２】
2006161136.tif 000004
（錫ブロック剤及び／又は脱鉛剤の添加量０．０１〜１５質量％を選択した根拠）
（銅合金＝青銅：ＪＩＳ  ＣＡＣ４０６）
【００２０】
表２で、錫ブロック剤及び脱鉛剤の添加量と鉛除去率の関係について青銅：ＪＩＳ  ＣＡＣ４０６についての実験結果を示す。
錫ブロック剤、脱鉛剤ともに０．０１質量％未満の添加では効果がほとんどないものと考えられ、１５質量％を越えて添加しても鉛除去率の向上はみられなかった。
【００２１】
【表３】
2006161136.tif 000005
（錫ブロック剤を先に添加する根拠）
（銅合金＝青銅：ＪＩＳ  ＣＡＣ４０６）
【００２２】
表３で、先に脱鉛剤を添加し、次に錫ブロック剤を添加したときの脱鉛剤及び錫ブロック剤の添加量と鉛除去率の関係について青銅：ＪＩＳ  ＣＡＣ４０６についての実験結果を示す。錫ブロック剤を先に添加した場合（表２）と比べ、鉛除去率が低下している。
【００２３】
【表４】
2006161136.tif 000006
（処理温度範囲の選択・決定の根拠）
銅合金＝青銅：ＪＩＳ  ＣＡＣ４０６
【００２４】
表４に青銅：ＪＩＳ  ＣＡＣ４０６について処理温度と、亜鉛の消耗及び溶湯の凝固の有無の関係について実験結果を示した。
【００２５】
【表５】
2006161136.tif 000007
（処理温度範囲の選択・決定の根拠）
銅合金＝黄銅：ＪＩＳ  ＣＡＣ２０３
【００２６】
表５に黄銅：ＪＩＳ  ＣＡＣ２０３について処理温度と、亜鉛の消耗及び溶湯の凝固の有無の関係について実験結果を示した。
【実施例１】
【００２７】
次に本願発明をいくつかの実施例により具体的に説明する。
本例では、銅合金として青銅を用い、図１に示すフローチャートにしたがって脱鉛処理を実施した。
すなわち、青銅（銅合金）の溶湯に錫ブロック剤を添加し、銅合金中の錫と化合させ、次に脱鉛剤を添加して銅合金中の鉛と化合させ鉛化合物を生成し、溶湯表面に浮上分離させることで鉛を除去した合金を得ることができた。このとき、必要に応じて脱鉛剤の添加後に追加で錫ブロック剤を凝集剤として添加し、鉛化合物の粒子を凝集し浮上分離を促進させることができる。また、黒曜石，シラス等を含むアルミノケイ酸塩ガラスも凝集剤として効果がある。
【００２８】
図２は、本発明で使用した高周波誘導加熱装置の概略図である。黒鉛るつぼ１１の周囲に巻回された高周波コイル１２に高周波電流を通電することにより黒鉛るつぼ１１及び銅合金を加熱して溶湯１５とする。
錫ブロック剤及び脱鉛剤を溶湯１５に添加・混合すると、溶湯１５の表面には錫ブロック剤及び脱鉛剤の作用により生成した化合物１３が浮上する。
その化合物１３を、撹拌棒１７の棒状の垂直部１８の先端に水平方向に突設されたかきあげ部１９でかきあげて、除去物１４として排除する。
なお、図３は撹拌棒１７の側面図であり、図４は水平の渦巻形状のかきあげ部１９の平面図を示す。
【００２９】
以下の実験条件により青銅から鉛を除去した。
（１）脱鉛処理対象銅合金として鉛４．９質量％および錫４．５質量％の青銅を用い、その重量は５ｋｇを使用した。
（２）錫ブロック剤としてフッ化ナトリウムを用い、その重量は４００ｇを使用した。
（３）脱鉛剤としてはカルシウムシリコンを用い、その重量は４００ｇを使用した。
青銅を加熱して完全に溶解させた後、１１００℃付近の溶湯温度で錫ブロック剤を添加し、次に脱鉛剤を添加し浮上した鉛化合物を除去した。その結果、鉛は０．６４質量％となり鉛除去率８７％となった。また、錫は４．５質量％のままで、錫の減少はなかった。
【００３０】
（ＥＰＭＡ面分析結果）
銅合金の溶湯に脱鉛剤としてカルシウムシリコンを添加・混合した後、錫ブロック剤としてフッ化ナトリウムを添加・混合したときのＥＰＭＡ面分析結果を図５の１に、フッ化ナトリウムを添加・混合した後、カルシウムシリコンを添加・混合したときのＥＰＭＡ面分析結果を図５の２に示した。
図は各元素の分布状態を示しており、白色ほど濃度が高いことを示す。
【００３１】
図５の１では、カルシウムが、錫と同じ位置に分布しており、脱鉛剤のカルシウムと錫が化合していることを示している。本来、カルシウムは鉛と化合することで鉛除去可能となるが、この場合、カルシウムが鉛より錫と化合するため鉛化合物の生成を阻害している。
【００３２】
図５の２では、カルシウムと鉛が同じ位置に分布している。先に錫ブロック剤を添加・混合すると、錫とカルシウムの反応がブロックされ、カルシウムか鉛と優先的に化合することを示している。これによって、鉛除去率が向上する。
つまり、錫ブロック剤を先に添加・混合する鉛除去方法の効果があることがわかる。
【図面の簡単な説明】
【００３３】
【図１】本発明方法のフローチャートである。
【図２】本発明実施例における実験装置の概略図である。
【図３】本発明実施例における撹拌棒の側面図である。
【図４】本発明実施例における撹拌棒の平面図である。
【図５】ＥＰＭＡ面分析結果            １．脱鉛剤を添加後、錫ブロック剤を添加した場合            ２．錫ブロック剤を添加後、脱鉛剤を添加した場合
【符号の説明】
【００３４】
１１  黒鉛るつぼ
１２  高周波コイル
１３  浮遊物
１４  除去物
１５  溶湯
１６  熱電対温度計
１７  撹拌棒
１８  垂直部
１９  かきあげ部
【図１】
2006161136.tif 000008
【図２】
2006161136.tif 000009
【図３】
2006161136.tif 000010
【図４】
2006161136.tif 000011
【図５】
2006161136.tif 000012